(57)【特許請求の範囲】
【請求項１】
磁気共鳴イメージングデータの収集タイミングにおいて流体の縦磁化と前記流体と異なる組織の縦磁化の符号が互いに逆となる撮像条件で前記磁気共鳴イメージングデータを収集するデータ収集手段と、
複素信号として収集された前記磁気共鳴イメージングデータの実部を用いて画像再構成処理を行うことによって前記流体及び前記組織が描出された画像データを生成する画像データ生成手段と、
を備える磁気共鳴イメージング装置。
【請求項２】
前記データ収集手段は、１次以上のグラジエントモーメントヌリングを行って前記磁気共鳴イメージングデータを収集するように構成される請求項１記載の磁気共鳴イメージング装置。
【請求項３】
前記データ収集手段は、前記流体と前記組織の間におけるT1及びT2の差を利用して前記縦磁化の符号が逆となる撮像条件で前記磁気共鳴イメージングデータを収集するように構成される請求項１記載の磁気共鳴イメージング装置。
【請求項４】
前記データ収集手段は、更に前記流体と前記組織の間における拡散の差を利用して前記縦磁化の符号が逆となる撮像条件で前記磁気共鳴イメージングデータを収集するように構成される請求項３記載の磁気共鳴イメージング装置。
【請求項５】
前記データ収集手段は、複数の反転回復パルスを印加して前記磁気共鳴イメージングデータを収集するように構成される請求項１記載の磁気共鳴イメージング装置。
【請求項６】
前記データ収集手段は、前記流体と前記組織の間におけるT1の差を利用して前記縦磁化の符号を逆にするための反転回復パルス、前記流体と前記組織の間におけるT1及びT2の差を利用して前記縦磁化の符号を逆にするための複数の高周波パルスで構成されるパルス及びmotion probing gradientパルスの少なくとも２つを印加して前記磁気共鳴イメージングデータを収集するように構成される請求項１記載の磁気共鳴イメージング装置。
【請求項７】
前記データ収集手段は、領域選択的反転回復パルスを印加して前記磁気共鳴イメージングデータを収集し、前記領域選択的反転回復パルスの印加時から前記磁気共鳴イメージングデータの収集時までに画像化領域に流入する前記流体を少なくとも含む空間領域を前記領域選択的反転回復パルスの印加領域とするように構成される請求項１記載の磁気共鳴イメージング装置。
【請求項８】
前記画像データ生成手段は、前記磁気共鳴イメージングデータの位相補正を行い、前記位相補正後の磁気共鳴イメージングデータの実部を用いて前記画像データを生成するように構成される請求項１記載の磁気共鳴イメージング装置。
【請求項９】
前記画像データ生成手段は、前記磁気共鳴イメージングデータの低周波成分の位相を前記磁気共鳴イメージングデータから減算することにより前記位相補正を行うように構成される請求項８記載の磁気共鳴イメージング装置。
【請求項１０】
前記画像データ生成手段は、予め測定された位相分布マップを前記磁気共鳴イメージングデータから減算することにより前記位相補正を行うように構成される請求項８記載の磁気共鳴イメージング装置。
【請求項１１】
前記画像データ生成手段は、前記流体からの信号を表すベクトルの向きを実軸の負方向にシフトさせる位相補正を行うように構成される請求項８記載の磁気共鳴イメージング装置。
【請求項１２】
前記画像データ生成手段は、前記画像データに対する閾値処理によって前記画像データから前記流体が描出された第１の画像データ及び前記組織が描出された第２の画像データを生成するように構成される請求項１記載の磁気共鳴イメージング装置。
【請求項１３】
前記データ収集手段は、血液の縦磁化が負となる一方、実質組織の縦磁化が正となる撮像条件で前記磁気共鳴イメージングデータを収集するように構成される請求項１記載の磁気共鳴イメージング装置。
【請求項１４】
前記データ収集手段は、脳脊髄液の縦磁化が負となる一方、実質組織の縦磁化が正となる撮像条件で前記磁気共鳴イメージングデータを収集するように構成される請求項１記載の磁気共鳴イメージング装置。
【請求項１５】
前記データ収集手段は、流体の縦磁化が負となる一方、脂肪を含む組織の縦磁化が正となる撮像条件で前記磁気共鳴イメージングデータを収集するように構成される請求項１記載の磁気共鳴イメージング装置。
【請求項１６】
磁気共鳴イメージングデータの収集タイミングにおいて脂肪の縦磁化と前記脂肪と異なる組織の縦磁化の符号が互いに逆となる撮像条件で前記磁気共鳴イメージングデータを収集するデータ収集手段と、
複素信号として収集された前記磁気共鳴イメージングデータの実部を用いて画像再構成処理を行うことによって少なくとも前記組織が描出された画像データを生成する画像データ生成手段と、
を備える磁気共鳴イメージング装置。
【発明の詳細な説明】
【技術分野】
【０００１】
本発明の実施形態は、磁気共鳴イメージング(MRI: Magnetic Resonance Imaging)装置に関する。
【背景技術】
【０００２】
MRIは、静磁場中に置かれた被検体の原子核スピンをラーモア周波数の高周波(RF: radio frequency)信号で磁気的に励起し、この励起に伴って発生する核磁気共鳴(NMR: nuclear magnetic resonance)信号から画像を再構成する撮像法である。MRIでは、血液、脂肪、脳脊髄液(CSF: cerebrospinal fluid)等の特定の成分や組織を選択的に抑制又は強調することが望ましい場合がある。
【０００３】
そのために、反転回復(IR: inversion recovery)法において反転時間(TI inversion time)を脂肪からの信号が抑制されるように設定するSTIR (short TI inversion recovery)法やCSFからの信号が抑制されるように設定するFLAIR (fluid attenuated IR)法が知られている。IR法は、180°IRパルスを印加して縦磁化Mzを反転させ、TI経過後に90°パルスを印加してデータ収集を行う手法である。STIR法やFLAIR法では、180°IRパルスの印加後において脂肪やCSFにおける反転した磁化が回復によりゼロとなるタイミングでイメージングデータが収集されるようにTIが設定される。例えばFLAIR法では、TIが2000ms程度に設定される。そして、通常は収集されたイメージングデータの絶対値を信号値として画像再構成が行われる。
【０００４】
また、磁気共鳴血管撮影法(MRA: magnetic resonance angiography)において、血液を高信号領域として高輝度で白く描出するWB (white blood)法や逆に低信号領域として低輝度で黒く描出するBB (black blood)法がある。例えば、縦緩和(T1)強調画像(T1W: T1 weighted image)としてWB画像を収集する方法や横緩和スター(T2*)強調画像(T2*W: T2* weighted image)としてBB画像を収集する方法が知られている。
【０００５】
さらにBB法において、ディフェーズ(diphase)傾斜磁場パルスとしてMPG (motion probing gradient)パルスを印加することによって関心領域(ROI: region of interest)における血液からの信号を選択的に低下させるFS-BB (flow-sensitive black-blood)法がある。FS-BB法では、ディフェーズ傾斜磁場パルスを伴うグラジエントエコー(GRE: gradient echo)系のパルスシーケンスでイメージングデータが収集される。このため、ボクセル(voxel)内において動きのある血液の横磁化の位相が積極的に分散、すなわちdephasingされ、血液は低信号部として描出される。ディフェーズ量はMPGパルスのb値(b-factor)をパラメータとして制御することができる。
【０００６】
さらに、FS-BB法に併用される手法として、磁化率強調イメージング(SWI: susceptibility-weighted imaging)やコサインフィルタ(COS filter)による信号処理が挙げられる。SWIは、信号の位相情報を用いた画像処理によって血管と背景との間におけるコントラストを改善する技術である。COS filterは、背景信号の位相をゼロにする一方、血管信号の位相を±180°に近づけることにより、背景信号と血管信号間の位相差を最大にするフィルタである。
【先行技術文献】
【特許文献】
【０００７】
【特許文献１】特開２００８−９３４１８号公報
【特許文献２】特開２００８−２７２２４８号公報
【特許文献３】特開２０１０−４６４７３号公報
【特許文献４】特開２０１０−４６４７５号公報
【発明の概要】
【発明が解決しようとする課題】
【０００８】
上述したような特定の成分や組織を選択的に抑制又は強調するイメージングでは、コントラストの向上が重要な課題である。
【０００９】
本発明は、磁化の緩和時間の違いを利用して血液やCSF等の流体や脂肪を含む組織をより良好なコントラストで描出させることを目的とする。
【課題を解決するための手段】
【００１０】
本発明の実施形態に係る磁気共鳴イメージング装置は、データ収集手段及び画像データ生成手段を備える。データ収集手段は、磁気共鳴イメージングデータの収集タイミングにおいて流体の縦磁化と前記流体と異なる組織の縦磁化の符号が互いに逆となる撮像条件で前記磁気共鳴イメージングデータを収集する。画像データ生成手段は、複素信号として収集された前記磁気共鳴イメージングデータの実部を用いて画像再構成処理を行うことによって前記流体及び前記組織が描出された画像データを生成する。
【００１１】
また、本発明の実施形態に係る磁気共鳴イメージング装置は、データ収集手段及び画像データ生成手段を備える。データ収集手段は、磁気共鳴イメージングデータの収集タイミングにおいて脂肪の縦磁化と前記脂肪と異なる組織の縦磁化の符号が互いに逆となる撮像条件で前記磁気共鳴イメージングデータを収集する。画像データ生成手段は、複素信号として収集された前記磁気共鳴イメージングデータの実部を用いて画像再構成処理を行うことによって少なくとも前記組織が描出された画像データを生成する。
【図面の簡単な説明】
【００１２】
【図１】本発明の実施形態に係る磁気共鳴イメージング装置の構成図。
【図２】図１に示すコンピュータの機能ブロック図。
【図３】データ収集タイミングにおいて２つの組織における縦磁化が正負の値となるように縦磁化プリパレーション部において１つのIRパルスの印加を設定した例を示す図。
【図４】図３に示すパルスシーケンスを実行した場合に収集される複素エコー信号の振幅及び位相の変化を示す図。
【図５】画像化領域外部の血液の上流側に領域選択IRパルスを印加する例を示す図。
【図６】図５に示すIRパルスの印加による画像化領域における縦磁化の変化を示す図。
【図７】画像化領域を含む領域に領域選択IRパルスを印加する例を示す図。
【図８】図７に示すIRパルスの印加による画像化領域における縦磁化の変化を示す図。
【図９】データ収集タイミングにおいて２つの組織における縦磁化が正負の値となるように縦磁化プリパレーション部において２つのIRパルスの印加を設定した例を示す図。
【図１０】データ収集タイミングにおいて２つの組織における縦磁化が正負の値となるように縦磁化プリパレーション部において３つのRFパルスの印加を設定した例を示す図。
【図１１】図１０に示すパルスシーケンスの実行による磁化の変化を示す図。
【図１２】データ収集タイミングにおいて２つの組織における縦磁化が正負の値となるように縦磁化プリパレーション部において３つのRFパルス及び２つのMPGパルスの印加を設定した例を示す図。
【図１３】図１２に示すパルスシーケンスにより収集される複素エコー信号の振幅及び位相の変化を示す図。
【図１４】０次のGMNを行う際のフローディフェーズパルスの一例を示す図。
【図１５】１次のGMNを行う際のフローリフェーズパルスの一例を示す図。
【図１６】フローリフェーズパルスを印加して収集される複素エコー信号の振幅及び位相の変化を示す図。
【図１７】図１に示す磁気共鳴イメージング装置により被検体のイメージングを行う際の流れを表すフローチャートを示す図。
【発明を実施するための形態】
【００１３】
本発明の実施形態に係る磁気共鳴イメージング装置について添付図面を参照して説明する。
【００１４】
図１は本発明の実施形態に係る磁気共鳴イメージング装置の構成図である。
【００１５】
磁気共鳴イメージング装置２０は、静磁場を形成する筒状の静磁場用磁石２１、この静磁場用磁石２１の内部に設けられたシムコイル２２、傾斜磁場コイル２３及びRFコイル２４を備えている。
【００１６】
また、磁気共鳴イメージング装置２０には、制御系２５が備えられる。制御系２５は、静磁場電源２６、傾斜磁場電源２７、シムコイル電源２８、送信器２９、受信器３０、シーケンスコントローラ３１及びコンピュータ３２を具備している。制御系２５の傾斜磁場電源２７は、Ｘ軸傾斜磁場電源２７ｘ、Ｙ軸傾斜磁場電源２７ｙ及びＺ軸傾斜磁場電源２７ｚで構成される。また、コンピュータ３２には、入力装置３３、表示装置３４、演算装置３５及び記憶装置３６が備えられる。
【００１７】
静磁場用磁石２１は静磁場電源２６と接続され、静磁場電源２６から供給された電流により撮像領域に静磁場を形成させる機能を有する。尚、静磁場用磁石２１は超伝導コイルで構成される場合が多く、励磁の際に静磁場電源２６と接続されて電流が供給されるが、一旦励磁された後は非接続状態とされるのが一般的である。また、静磁場用磁石２１を永久磁石で構成し、静磁場電源２６が設けられない場合もある。
【００１８】
また、静磁場用磁石２１の内側には、同軸上に筒状のシムコイル２２が設けられる。シムコイル２２はシムコイル電源２８と接続され、シムコイル電源２８からシムコイル２２に電流が供給されて静磁場が均一化されるように構成される。
【００１９】
傾斜磁場コイル２３は、Ｘ軸傾斜磁場コイル２３ｘ、Ｙ軸傾斜磁場コイル２３ｙ及びＺ軸傾斜磁場コイル２３ｚで構成され、静磁場用磁石２１の内部において筒状に形成される。傾斜磁場コイル２３の内側には寝台３７が設けられて撮像領域とされ、寝台３７には被検体Ｐがセットされる。RFコイル２４にはガントリに内蔵されたRF信号の送受信用の全身用コイル(WBC: whole body coil)や寝台３７や被検体Ｐ近傍に設けられるRF信号の受信用の局所コイルなどがある。
【００２０】
また、傾斜磁場コイル２３は、傾斜磁場電源２７と接続される。傾斜磁場コイル２３のＸ軸傾斜磁場コイル２３ｘ、Ｙ軸傾斜磁場コイル２３ｙ及びＺ軸傾斜磁場コイル２３ｚはそれぞれ、傾斜磁場電源２７のＸ軸傾斜磁場電源２７ｘ、Ｙ軸傾斜磁場電源２７ｙ及びＺ軸傾斜磁場電源２７ｚと接続される。
【００２１】
そして、Ｘ軸傾斜磁場電源２７ｘ、Ｙ軸傾斜磁場電源２７ｙ及びＺ軸傾斜磁場電源２７ｚからそれぞれＸ軸傾斜磁場コイル２３ｘ、Ｙ軸傾斜磁場コイル２３ｙ及びＺ軸傾斜磁場コイル２３ｚに供給された電流により、撮像領域にそれぞれＸ軸方向の傾斜磁場Ｇｘ、Ｙ軸方向の傾斜磁場Ｇｙ、Ｚ軸方向の傾斜磁場Ｇｚを形成することができるように構成される。
【００２２】
RFコイル２４は、送信器２９及び受信器３０の少なくとも一方と接続される。送信用のRFコイル２４は、送信器２９からRF信号を受けて被検体Ｐに送信する機能を有し、受信用のRFコイル２４は、被検体Ｐ内部の原子核スピンのRF信号による励起に伴って発生したNMR信号を受信して受信器３０に与える機能を有する。
【００２３】
一方、制御系２５のシーケンスコントローラ３１は、傾斜磁場電源２７、送信器２９及び受信器３０と接続される。シーケンスコントローラ３１は傾斜磁場電源２７、送信器２９及び受信器３０を駆動させるために必要な制御情報、例えば傾斜磁場電源２７に印加すべきパルス電流の強度や印加時間、印加タイミング等の動作制御情報を記述したシーケンス情報を記憶する機能と、記憶した所定のシーケンスに従って傾斜磁場電源２７、送信器２９及び受信器３０を駆動させることによりＸ軸傾斜磁場Ｇｘ、Ｙ軸傾斜磁場Ｇｙ，Ｚ軸傾斜磁場Ｇｚ及びRF信号を発生させる機能を有する。
【００２４】
また、シーケンスコントローラ３１は、受信器３０におけるNMR信号の検波及びA/D (analog to digital)変換により得られた複素データである生データ(raw data)を受けてコンピュータ３２に与えるように構成される。
【００２５】
このため、送信器２９には、シーケンスコントローラ３１から受けた制御情報に基づいてRF信号をRFコイル２４に与える機能が備えられる一方、受信器３０には、RFコイル２４から受けたNMR信号を検波して所要の信号処理を実行するとともにＡ／Ｄ変換することにより、デジタル化された複素データである生データを生成する機能と生成した生データをシーケンスコントローラ３１に与える機能とが備えられる。
【００２６】
さらに、磁気共鳴イメージング装置２０には、被検体ＰのECG (electro cardiogram)信号を取得するECGユニット３８が備えられる。ECGユニット３８により取得されたECG信号はシーケンスコントローラ３１を介してコンピュータ３２に出力されるように構成される。
【００２７】
尚、拍動を心拍情報として表すECG信号の代わりに拍動を脈波情報として表す脈波同期(PPG: peripheral pulse gating)信号を取得することもできる。PPG信号は、例えば指先の脈波を光信号として検出した信号である。PPG信号を取得する場合には、PPG信号検出ユニットが設けられる。
【００２８】
また、コンピュータ３２の記憶装置３６に保存されたプログラムを演算装置３５で実行することにより、コンピュータ３２には各種機能が備えられる。ただし、プログラムの少なくとも一部に代えて、各種機能を有する特定の回路を磁気共鳴イメージング装置２０に設けてもよい。
図２は、図１に示すコンピュータ３２の機能ブロック図である。
【００２９】
コンピュータ３２の演算装置３５は、記憶装置３６に保存されたプログラムを実行することにより撮像条件設定部４０、シーケンスコントローラ制御部４１、位相補正部４３、画像再構成部４４及び画像処理部４６として機能する。また、記憶装置３６は、ｋ空間データベース４２及び画像データベース４５として機能する。
【００３０】
撮像条件設定部４０は、入力装置３３からの指示情報に基づいてパルスシーケンスを含む撮像条件を設定し、設定した撮像条件をシーケンスコントローラ制御部４１に与える機能を有する。
【００３１】
特に、撮像条件設定部４０は、イメージングデータの収集タイミングにおいて着目する２つの組織からの信号の符号が互いに逆（正負の値）となるような撮像条件を設定する機能を備えている。２つの組織からの信号の符号を逆にするためには、２つの組織における縦磁化Mzの符号を逆にすればよい。そのために、撮像条件設定部４０は、縦磁化プリパレーション(Mz preparation)部に続いてイメージングシーケンスを有するパルスシーケンスを設定する機能を備えている。
【００３２】
イメージングシーケンスは、画像再構成処理に用いるイメージングデータとしてNMRエコー信号を収集するパルスシーケンスである。イメージングシーケンスとしては、FE (field echo)シーケンス、FSE(fast spin echo)シーケンス、FFE(fast spin echo)シーケンス、SSFP(steady state free precession)シーケンス、EPI(echo planar imaging)シーケンス等の所望のシーケンスを用いることができる。縦磁化プリパレーション部は、T1, T2や動き等の組織の性質の違いを利用してイメージングデータの収集タイミングにおいて着目する２つの組織の縦磁化Mzの符号が逆となるように、イメージングシーケンスに先立って縦磁化Mzの大きさを調整する部分である。
【００３３】
図３は、データ収集タイミングにおいて２つの組織における縦磁化が正負の値となるように縦磁化プリパレーション部において１つのIRパルスの印加を設定した例を示す図である。
【００３４】
図３において横軸は時間tを、縦軸のRFはRF信号を示し、Mzは縦磁化を示す。また、縦磁化Mzの時間変化を示すプロットにおいて一点鎖線は強調対象となる組織(Enhanced tissue)の縦磁化を示し、二点鎖線は抑制対象となる組織(Suppressed tissue)の縦磁化を示す。
【００３５】
図３に示すように縦磁化プリパレーション部において少なくとも１つのIRパルスを印加し、IRパルスの印加タイミングからTI後にイメージングシーケンスが開始するパルスシーケンスを設定することができる。イメージングシーケンスでは、RF励起パルスの印加タイミングからエコー時間(TE: echo time)後にNMRエコー信号が収集される。
【００３６】
尚、図３はイメージングシーケンスがSEシーケンスである例を示している。イメージングシーケンスがFSEシーケンス、FFEシーケンス又はSSFPシーケンス等のシーケンスである場合には、ｋ空間の中心部におけるエコー信号が収集される直前に印加されるRFパルスとIRパルスとの間における期間がTIとなる。
【００３７】
そして、イメージング用のNMRエコー信号の収集タイミングにおいて強調対象となる組織の縦磁化が正の値となる一方、抑制対象となる組織の縦磁化が負の値となるようにTI及びIRパルスのフリップ角(FA: flip angle)が調整される。例えば、IRパルスのFAを180°としてt=TIにおいて２つの組織の縦磁化が正負に分離するようにTIを設定することができる。
【００３８】
但し、IRパルスのFAが90°より大きければ組織の縦磁化は負値となるため、FA≠180°でもT1の異なる２つの組織の縦磁化が正負に分かれるようなTIは存在する。また、TIは繰り返し時間(TR: repetition time)等の撮像パラメータにも応じた値となる。この場合、IRパルスはT1緩和を利用してイメージングデータの収集タイミングにおいて２つの組織の縦磁化が正負の値となるように縦磁化を制御するプリパレーションパルス(T1 prepared pulse)として機能する。
【００３９】
図３に示す撮像条件でデータを収集すると、強調対象となる組織からは正値のエコー信号が収集される一方、抑制対象となる組織からは負値のエコー信号が収集される。このため、複素信号であるエコー信号の実部を用いて負の値をとる縦磁化も考慮するREAL画像再構成処理(Real Imaging)を行えば、エコー信号の絶対値を用いて画像再構成を行うMagnitude Imagingを行う場合に比べてコントラストを向上させることができる。例えば、Magnitude Imagingでは、符号が逆でも絶対値が同じエコー信号間に対応するコントラストはゼロとなるのに対して、Real Imagingでは、絶対値の２倍に相当するコントラストとなる。
【００４０】
強調対象となる組織の例としては背景となる静止組織が挙げられ、抑制対象となる組織の例としては、血液やCSF等の流体が挙げられる。CSFを抑制対象とする場合にはFLAIRが実施されることとなる。
【００４１】
図４は、図３に示すパルスシーケンスを実行した場合に収集される複素エコー信号の振幅及び位相の変化を示す図である。
【００４２】
図４において、(A)はt=TIにおいて収集される複素信号の振幅及び位相を示し、(B)はt=TI+TEにおいて収集される複素信号の振幅及び位相を示す。また、(A), (B)の各縦軸は回転座標系の虚軸を、各横軸は回転座標系の実軸を、実線で示すベクトルは強調対象となる背景信号を、点線で示すベクトルは抑制対象となる血液信号を、それぞれ示す。
【００４３】
t=TIにおいて90°RF励起パルスが印加されると、背景組織の縦磁化及び血液の縦磁化はそれぞれ横磁化となる。このため、図４(A)に示すように、背景信号Sbackを表すベクトルは実軸上で正方向となる一方、血液信号Svesselを表すベクトルは実軸上で負方向となる。また、血液信号Svesselの振幅は、動きやT2緩和の影響により背景信号Sbackの振幅より小さい。
【００４４】
従って、背景組織と血液間におけるコントラストCvessel-to-backは、血液信号Svesselの実部Re(Svessel)と背景信号Sbackの実部Re(Sback)との差|Re(Svessel)- Re(Sback)|、つまり血液信号Svesselの振幅と背景信号Sbackの振幅の和となる。
【００４５】
しかし、背景組織及び血液の縦磁化がRF励起により横磁化になった瞬間から磁場の不均一性及び血液の流れの影響によりボクセル内における位相がばらける。このため、t=TI+TEでは、図４(B)に示すように、血液信号Svesselの位相Φflow及び背景信号Sbackの位相Φbackはシフトする。また、T2緩和によって血液信号Svesselの振幅及び背景信号Sbackの振幅は小さくなる。従って、実際には背景組織と血液間におけるコントラストCvessel-to-backは、図４(B)に示すように、T2緩和によって振幅が小さくなった血液信号Svesselの実部Re(Svessel)と背景信号Sbackの実部Re(Sback)との差|Re(Svessel)- Re(Sback)|となる。
【００４６】
そこで、背景組織と血液間におけるコントラストCvessel-to-backを最大にするために背景信号Sbackの位相シフト分だけ信号を表すベクトルの向きを実軸上の正方向にシフトさせる背景位相補正処理及び血液信号Svesselを表すベクトルの向きのみを選択的に実軸上の負方向にシフトさせるCOS filter処理を行うことが好適である。背景位相補正処理及びCOS filter処理の詳細については後述する。
【００４７】
抑制対象となる組織が流体である場合、IRパルスの印加後に画像化領域に外部から流入する流体の縦磁化も反転する必要がある。そこで、IRパルスを印加するスラブ厚を十分に厚く設定するか、或いはIRパルスを領域非選択パルスとすれば、画像化の対象となるスラブ内に外部から流入する流体からの信号も負値にすることができる。IRパルスを領域選択パルスとする場合には、IRパルスの印加時からイメージングデータの収集時までに画像化領域に流入する流体を少なくとも含む空間領域をIRパルスの印加領域とすればよい。
【００４８】
図５は、画像化領域外部の血液の上流側に領域選択IRパルスを印加する例を示す図である。図６は、図５に示すIRパルスの印加による画像化領域における縦磁化の変化を示す図である。
【００４９】
図５の一点鎖線で示すように被検体Ｐの頭部に画像化領域としてイメージングスラブを設定し、イメージングスラブ内の血液をイメージングする場合には、イメージングスラブに流入する血液(Inflow blood)が流れる血管を含む二点鎖線で示す領域をIRパルスの印加領域とすればよい。この場合、IRパルスは、ASL (Arterial Spin Labeling)パルス（タグ付けパルスとも称する）として機能し、IRパルスの印加領域はラベリング領域(Labeled region)（タグ付け領域とも称する）ということになる。
【００５０】
図６(A)において横軸は時間tを、縦軸は縦磁化Mzを、一点鎖線はイメージングスラブ内における背景組織である脳実質の縦磁化を、二点鎖線はイメージングスラブ内に流入する血液の縦磁化を、点線はイメージングスラブ内に流入する血液の縦磁化の絶対値を、それぞれ示す。また、図６(B)において横軸は図５に示すイメージングスラブ内において血管を横切る位置xを、縦軸は縦磁化Mzを、実線は縦磁化Mzのプロファイルを、それぞれ示す。
【００５１】
イメージングスラブの上流において縦磁化M0の血液を180°IRパルス等のFA>90°のIRパルスを用いてラベリングすると、血液の縦磁化は最小でMz=-M0となる。その後、緩和により血液の縦磁化は時間とともにMz=M0に近づく。そこで、血液の縦磁化がゼロとなる前のMz<0となっている期間にTIを設定してイメージングデータを収集すれば血液からの信号は負値となる。一方、背景組織の位相はほぼゼロと考えられるため背景組織からの信号は正値となる。従って図６(B)に示すように、t=TIにおいて血管を横切る位置xにおける縦磁化のプロファイルは、背景組織部分において大きく、血管部分において小さくなる。
【００５２】
この場合、血液の縦磁化がゼロとなるTIlimitにおいてイメージングデータを収集し、信号の絶対値を用いて画像再構成を行う場合における背景組織と血液間のコントラストClimitよりも、血液の縦磁化が負値となる0≦TI<TIlimitにおいてイメージングデータを収集し、信号の実部を用いて画像再構成を行う場合における背景組織と血液間のコントラストCvessel-backの方が大きくなる。
【００５３】
そこで、磁気共鳴イメージング装置２０では、0≦TI<TIlimitに設定してReal Imagingが行われる。特に、血液のT1は脳実質のT1より長いため、血液の縦磁化が反転してからゼロになるまでのTIlimitは比較的長くなる。このため、TIの設定が容易である。
【００５４】
信号の絶対値を用いて画像再構成を行う従来のMRAの場合には、血液をASLパルスでラベリングして収集されたイメージングデータData_labeledと血液をラベリングせずに同一のTIにおいて収集されたコントラスト制御用のイメージングデータData_controlとの間で複素差分処理が行われる。尚、血液をラベリングし、かつMTC (magnetization transfer contrast)効果をキャンセルするためのRFパルスを印加してコントラスト制御用のイメージングデータData_controlが収集される場合もある。そして、差分処理により、背景組織からの信号がキャンセルされ、血管流や組織血流のみならず、CSF等の流体のマップ画像を得ることができる。
【００５５】
このため、信号の絶対値を用いて画像再構成を行う場合には、図６の一点鎖線で示す背景組織からの信号と点線で示す血液からの信号の絶対値との差がコントラストとなる。従って、血液における縦磁化がゼロとなるTI= TIlimitに設定すれば、最大のコントラストを得ることができる。この場合、TIにおいて背景組織の縦磁化をほぼゼロにするために複数の非選択IRパルスを印加する手法も考えられる。
【００５６】
これに対して、磁気共鳴イメージング装置２０のように、信号の実部を用いて画像再構成を行えば、差分処理や複数のIRパルスの印加を行うことなく背景組織と血液との間におけるコントラストを絶対値再構成を行う場合や複数のIRパルスを印加する場合に比べて良好にすることができる。すなわち、血管像を良好なコントラストでマッピングすることができる。加えて、差分処理を行って絶対値画像再構成を行う場合に比べて、撮像時間を理想的には半分程度まで短縮することができる。
【００５７】
ASLパルスによるラベリング領域は、画像化領域の外部ではなく、画像化領域を含む領域に設定することもできる。すなわち、ASLパルスによって、画像化する領域に流入する流体又は画像化領域の縦磁化を反転すれば、流体と背景組織とが良好なコントラスト差で描出される画像データを得ることができる。尚、イメージング対象が動きの小さいCSFや脂肪等の静止部しかない対象である場合には、少なくとも画像化領域を含む領域が領域選択的IRパルスの印加領域として設定される。
【００５８】
図７は、画像化領域を含む領域に領域選択IRパルスを印加する例を示す図である。図８は、図７に示すIRパルスの印加による画像化領域における縦磁化の変化を示す図である。
【００５９】
図７の一点鎖線で示すように被検体Ｐの頭部に画像化領域としてイメージングスラブを設定し、イメージングスラブ内の血液をイメージングする場合には、イメージングスラブを含む二点鎖線で示す領域を領域選択的IRパルスの印加領域、つまりASLパルスによるラベリング領域とすることができる。
【００６０】
図８(A)において横軸は時間tを、縦軸は縦磁化Mzを、一点鎖線はイメージングスラブ内における背景組織である脳実質の縦磁化を、二点鎖線はイメージングスラブ内に流入する血液の縦磁化を、点線はイメージングスラブ内における背景組織の縦磁化の絶対値を、それぞれ示す。また、図８(B)において横軸は図７に示すイメージングスラブ内において血管を横切る位置xを、縦軸は縦磁化Mzを、実線は縦磁化Mzのプロファイルを、それぞれ示す。
【００６１】
図７に示すようなイメージングスラブを含むラベリング領域にIRパルスを印加すると、背景組織及びIRパルスの印加時にラベリング領域内に存在する血液の双方の縦磁化が反転して負の値-M0となる。そして、図８(A)に示すように時間とともに背景組織及び血液の縦磁化が緩和する。一方、ラベリング領域に外部から流入する血液の縦磁化は、IRパルスの影響を受けていないため、正の値M0である。
【００６２】
従って、背景組織の縦磁化がゼロとなるTIlimitよりも前のTI (0≦TI<TIlimit)を設定すれば、t=TIにおける背景組織と血液間のコントラストCvessel-backは、t= TIlimitにおける背景組織と血液間のコントラストClimitよりも大きくなる。また、図８(B)に示すように、t=TIにおいて血管を横切る位置xにおける縦磁化のプロファイルは、背景組織部分において小さく、血管部分において大きくなる。そして、図８(B)に示す縦磁化のプロファイルが得られる場合にReal imagingを行うと、WB画像データが得られる。
【００６３】
このように、IRパルスは画像化領域の外部及び内部のいずれにも印加することができる。ただし、図６(A)及び図８(A)から分かる通り、流体のT1が背景組織のT1よりも長い場合には、画像化領域の外部にIRパルスを印加する方が、縦磁化の緩和がなだらかとなるためTIの設定が容易となる。
【００６４】
例えば、画像化領域の内部の脳組織に画像化領域の外部から血液が流入する場合には、TIの設定対象となる縦磁化が負値となる期間が長くなるように画像化領域の外部にIRパルスを印加することが望ましい。逆に、液体のT1が静止部分のT1よりも短い場合には、画像化領域を少なくとも含む領域にIRパルスを印加することが望ましい。
【００６５】
このようにASLパルスとしてIRパルスを印加する手法は、血液をイメージングするMRAのみならず、CSF等の流体のイメージングにも適用できる。また、ASLパルスにはパルス波、連続波及びパルス波と連続波とを組み合わせた波があるが、いずれの波であってもよい。
【００６６】
ただし、静止組織を含むボクセル内が血液で充満されることによる部分容積効果(partial volume effects)がないことが条件である。仮に、部分容積効果がある場合には正の信号と負の信号とが互いにキャンセルしあってコントラストが小さくなる。
【００６７】
また、縦磁化プリパレーション部において複数のIRパルスを印加することによって、異なるT1を有する３つ以上の組織の縦磁化を制御することもできる。具体的には、３つ以上の組織の縦磁化をt=TIにおいてゼロ、正の値及び負の値にすることもできる。実用的な例としては、脂肪の縦磁化をゼロ、筋組織の縦磁化を正の値、血液の縦磁化を負の値とするように複数のTIを設定する場合が挙げられる。IRパルスは、２〜３回程度印加することが適切な場合が多い。
【００６８】
ただし、複数のIRパルスを印加してもT1が異なる全ての組織の縦磁化をゼロにすることはできない。従って、イメージング対象となる臓器を構成する複数の組織のT1値が大きく異なる場合には、複数の組織からの信号を抑制するために多数のIRパルスが必要となる。しかし、IRパルスの数を多くするほど縦磁化の反転が不完全となり、結果としてSNRの劣化が生じる場合がある。従って、SNRを向上させる観点からは、複数のIRパルスを印加しない方がよい場合もある。
【００６９】
一方、背景組織に対して血液等の流体の縦磁化の絶対値が小さすぎるとReal imagingであっても流体の画像化が困難となる場合がある。そのような場合には、背景組織の縦磁化が正又は負となる一方、流体の縦磁化が負又は正となり（つまり、背景の縦磁化と流体の縦磁化が互いに異なる符号となり）、かつ背景組織の縦磁化が流体の縦磁化と同程度の大きさか又はそれ以下に低下するようにTIを設定して複数のIRパルスを印加してもよい。そうすることにより、単一のIRパルスを印加する場合に生じやすい上述した部分容積効果を軽減することができる。
【００７０】
複数のIRパルスを印加する場合、縦磁化を負値に反転するのは流体及び背景組織のいずれであってもよい。すなわち、単一又は複数のIRパルスを印加することによって、流体の縦磁化の符号及び背景組織の縦磁化の符号が互いに反転されればよい。画像化した場合に所望の輝度と逆になる場合には、画像データに対してモノクロ反転処理を実行することができる。例えば、図６(B)に示す縦磁化のプロファイルが得られる場合には、BB画像データが収集されるため白黒反転処理を行えば、WB画像データを生成することができる。
【００７１】
図９は、データ収集タイミングにおいて２つの組織における縦磁化が正負の値となるように縦磁化プリパレーション部において２つのIRパルスの印加を設定した例を示す図である。
【００７２】
図９において横軸は時間tを、RFはRF信号を示す。また、縦磁化Mzの時間変化を示すプロットにおいて一点鎖線は強調対象となる組織の縦磁化を示し、二点鎖線は抑制対象となる組織の縦磁化を示す。
【００７３】
図９に示すように縦磁化プリパレーション部において２つのIRパルスを印加し、最初のIRパルスの印加タイミングからTI後にイメージングシーケンスが開始するパルスシーケンスを設定することができる。イメージングシーケンスでは、RF励起パルスの印加タイミングからTE後にNMRエコー信号が収集される。
【００７４】
そして、イメージング用のNMRエコー信号の収集タイミングにおいて強調対象となる組織の縦磁化が正の値となる一方、抑制対象となる組織の縦磁化が負の値となるようにTI、最初のIRパルスと最後のIRパルスとの間隔ΔTI及び２つのIRパルスの各FAが調整される。尚、各IRパルスのFAは180°又は90°より大きい角度に設定される。FA>90°であれば、T1の異なる２つの組織の縦磁化が正の値及び負の値に分かれるTIが存在する。
【００７５】
また、縦磁化プリパレーション部は、IRパルス以外のパルスで構成することもできる。
【００７６】
図１０は、データ収集タイミングにおいて２つの組織における縦磁化が正負の値となるように縦磁化プリパレーション部において３つのRFパルスの印加を設定した例を示す図である。
【００７７】
図１０において横軸は時間tを、RFはRF信号を示す。また、縦磁化Mzの時間変化を示すプロットにおいて一点鎖線は強調対象となる組織の縦磁化を示し、二点鎖線は抑制対象となる組織の縦磁化を示す。
【００７８】
図１０に示すように縦磁化プリパレーション部において90°(+X)RFパルス、180°(+Y)RFパルス又は180°(-Y)RFパルス、90°(+X)RFパルスをδtの間隔で順次印加し、最後の90°(+X)RFパルスの印加タイミングからTI後にイメージングシーケンスが開始するパルスシーケンスを設定することができる。尚、()内の記号X及びYはX軸及びY軸を回転軸として磁化を回転させることを意味しており、回転軸の正方向からみて時計周りを+方向と定義している。イメージングシーケンスでは、RF励起パルスの印加タイミングからTE後にNMRエコー信号が収集される。
【００７９】
図１１は図１０に示すパルスシーケンスの実行による磁化の変化を示す図である。
【００８０】
図１１の各XYZ座標系において(A)は、１番目の90°(+X)RFパルスの印加直前における２つの組織の磁化を、(B)は１番目の90°(+X)RFパルスの印加直後における２つの組織の磁化を、(C)は２番目の90°(+X)RFパルスの印加直前における２つの組織の磁化を、(D)は２番目の90°(+X)RFパルスの印加直後における２つの組織の磁化を、(E)はt=TIにおいてRF励起パルスが印加される直前における２つの組織の磁化を、それぞれ示す。尚、180°(+Y)RFパルス又は180°(-Y)RFパルスの印加による磁化の回転方向は、Y軸周りであるため磁化ベクトルの向きの変化はない。このため、図１１では、180°(+Y)RFパルス又は180°(-Y)RFパルスの印加前後における磁化ベクトルの変化の図を省略している。
【００８１】
また、(A), (B), (C), (D), (E)において、実線で示すベクトルは強調対象となる組織の磁化を示し、点線で示すベクトルは抑制対象となる組織の磁化を示す。尚、実線で示すベクトルと点線で示すベクトルは実際には重なるが、説明容易化のためずらして表示してある。
【００８２】
図１１(A)に示すように１番目の90°(+X)RFパルスの印加直前には、静磁場の作用によって強調対象となる組織の磁化及び抑制対象となる組織の磁化はいずれもZ軸の正方向を向いている。１番目の90°(+X)RFパルスが印加されると強調対象となる組織の磁化及び抑制対象となる組織の磁化はいずれもX軸を中心に90°だけ時計周りに回転する。そして、２δtの時間が経過すると、T2緩和によって磁化の絶対値が小さくなる。この結果、２番目の90°(+X)RFパルスの印加直前には図１０(C)に示すように、強調対象となるT2の短い組織の磁化は、抑制対象となるT2の長い組織の磁化よりも絶対値が小さくなる。次に、２番目の90°(+X)RFパルスを印加すると図１０(D)に示すように、強調対象となる組織の磁化及び抑制対象となる組織の磁化はいずれもX軸を中心に90°だけ時計周りに回転し、-Z方向を向く。
【００８３】
つまり、２番目の90°(+X)RFパルスの印加直後をt=0とすると、t=0では強調対象となる組織の縦磁化及び抑制対象となる組織の縦磁化はいずれも負の値となり、かつ強調対象となる組織の縦磁化の絶対値は抑制対象となる組織の縦磁化の絶対値よりも小さくなる。換言すれば、t=0において強調対象となる組織の縦磁化及び抑制対象となる組織の縦磁化がいずれも負の値となるように90°RFパルスの位相が制御される。
【００８４】
そして、t=TIでは、T1緩和によって強調対象となる組織の縦磁化が正値となる一方、抑制対象となる組織の縦磁化は負値となる。換言すれば、t=TIにおいて強調対象となる組織の縦磁化が正値となる一方、抑制対象となる組織の縦磁化は負値となるようにTIが調整される。
【００８５】
この場合、90°(+X)RFパルス、180°(+Y)RFパルス又は180°(-Y)RFパルス、90°(+X)RFパルスは、T1緩和及びT2を利用してイメージングデータの収集タイミングにおいて２つの組織の縦磁化が正負の値となるように縦磁化を制御するプリパレーションパルスであるT1&T2 prepared pulseとして機能する。そして、組織間におけるT1及びT2の双方の差を利用してコントラストを制御することができる。
【００８６】
例えば、強調対象となる組織が筋であり、抑制対象となる組織が血液である場合に縦磁化プリパレーション部においてT1&T2 prepared pulseを印加すれば、縦磁化プリパレーション部においてIRパルスのみを印加する場合に比べてコントラストの差を大きくすることができる。すなわち、筋のT2は血液のT2よりも短いため、t=0において筋の縦磁化の絶対値は血液の縦磁化の絶対値よりも小さくなる。従って、t=TIにおいて筋の縦磁化が大きい正の値となる一方、血液の縦磁化が負値となるようにTIを設定すれば、筋及び血液間のコントラスト差を大きくすることができる。
【００８７】
尚、T1&T2 prepared pulseには、90°(+X)RFパルス、180°(+X)RFパルス又は180°(-X)RFパルス、90°(-X)RFパルスで構成する場合のように、様々なバリエーションがある。
【００８８】
図１２は、データ収集タイミングにおいて２つの組織における縦磁化が正負の値となるように縦磁化プリパレーション部において３つのRFパルス及び２つのMPGパルスの印加を設定した例を示す図である。
【００８９】
図１２において横軸は時間tを、RFはRF信号を、Gは傾斜磁場を、それぞれ示す。また、縦磁化Mzの時間変化を示すプロットにおいて一点鎖線は強調対象となる組織の縦磁化を示し、二点鎖線は抑制対象となる組織の縦磁化を示す。
【００９０】
図１２に示すパルスシーケンスは、図１０に示すT1&T2 prepared pulseの２つのδtの間隔にそれぞれMPGパルスを印加するようにしたものである。従ってMPGパルスの作用以外については説明を省略する。
【００９１】
MPGパルスを印加するとスピンの拡散(diffusion)を強調することができる。すなわち、２δtの期間においてT2緩和に加えて動きによる緩和(dephase)が起こる。このため、流体のように動きが大きくかつT2が短い組織ほどt=0において縦磁化が小さくなる。そこで、T1緩和及びT2緩和に加えて拡散を利用するプリパレーションパルスとしてT1&T2 prepared pulseにMPGパルスを付加したT1&T2&Diffusion prepared pulseを用いることもできる。T1&T2&Diffusion prepared pulseを用いると、縦磁化プリパレーション部におけるパラメータを調整することによって流体の速度に応じて信号強度を制御することが可能となる。
【００９２】
例えば、強調対象となる組織が筋であり、抑制対象となる組織が血液である場合にMPGパルスを印加すれば、図１０に示すようなMPGパルスを印加しない場合に比べて、t=TIにおける筋の縦磁化は変わらないが流速の速い血液の縦磁化の絶対値は小さくなる。このため、MPGパルスを印加した場合には、t=TIにおいて筋と流速の速い血液との間におけるコントラスト差が、MPGパルスを印加しない場合に比べて小さくなる。そこで、図１２に示すようにt=TIにおいて、ある速度以上の血液からの信号の強度がほぼゼロとなるようにTIを設定することもできる。
【００９３】
さらに、T1&T2&Diffusion prepared pulseにおいてMPGパルスの強度を一定にしつつδtを小さくすれば、T2緩和の寄与度を小さくすることができる。一方、MPGパルスの強度を調整すれば、拡散の寄与度を調整することができる。これらのT1&T2&Diffusion prepared pulseのパラメータは、組織の種類、要求されるコントラスト、傾斜磁場強度特性等の条件に応じて経験的又はシミュレーション等の任意の手段によって決定することができる。
【００９４】
このように、抑制対象となる組織の拡散係数(ADC: apparent diffusion coefficient)が強調対象となる組織のADCよりも大きい場合には、横磁化が残る弱いMPGパルスを印加することによって、ある速度以上の血液等の流体からの信号を選択的に強調又は抑制することが可能となる。この場合、MPGパルスは、フローディフェーズパルス(flow dephase pulse)として機能している。
【００９５】
図１３は、図１２に示すパルスシーケンスにより収集される複素エコー信号の振幅及び位相の変化を示す図である。
【００９６】
図１３において、(A)はt=TIにおいて収集される複素信号の振幅及び位相を示し、(B)はt=TI+TEにおいて収集された位相補正後の複素信号の振幅及び位相を示す。また、(A), (B)の各縦軸は回転座標系の虚軸を、各横軸は回転座標系の実軸を、実線で示すベクトルは強調対象となる背景信号を、点線で示すベクトルは抑制対象となる血液信号を、それぞれ示す。
【００９７】
t=TIでは、図４(A)と同様に図１３(A)に示すように背景信号Sbackを表すベクトルは実軸上で正方向となる一方、血液信号Svesselを表すベクトルは実軸上で負方向となる。
【００９８】
t=TI+TEでは、磁場の不均一性及び血液の流れの影響により背景信号Sbackの位相及び血液信号Svesselの位相Φflowがばらける。そこで、磁場の不均一性による位相シフト分を補正する背景位相補正を行うと、背景信号Sbackを表すベクトルは実軸上の正方向に戻すことができる。しかし、MPGパルスによるdephasingが行われているため、図１３(B)に示すように、血液の流れの影響によって血液信号Svesselを表すベクトルは実軸から依然としてシフトした状態となる。さらに、血液信号Svesselの振幅もボクセル内における血液の流れによる位相分散の影響を受けて小さくなる。
【００９９】
従って、背景組織と血液間におけるコントラストCvessel-to-backは、図１３(B)に示すように、振幅が小さくなった血液信号Svesselの実部Re(Svessel)と背景信号Sbackの振幅に相当する実部Re(Sback)との差|Re(Svessel)- Re(Sback)|となる。そこで、血液信号Svesselを表すベクトルの向きを実軸上の負方向にシフトさせるCOS filter処理を行うことが好適である。
【０１００】
尚、図４及び図１３は、抑制対象が血液である場合の例を示しているが抑制対象がCSFである場合にも同様となる。
【０１０１】
また、T2緩和を利用せずにT1緩和及び拡散のみを利用するT1&Difusion preparationで縦磁化プリパレーション部を構成してもよい。
【０１０２】
さらに、縦磁化プリパレーション部において、IRパルスのみでなく、T1&T2 prepared pulse及びT1&T2&Diffusion prepared pulseの一方又は双方を適切なタイミングで複数回印加することも可能である。例えば、MPGパルスの強度を変えて磁気モーメントが異なる２つのT1&T2&Diffusion prepared pulseを印加すると、速度が上限値と下限値との間にある流体のみを選択的に描出することが可能となる。すなわち、１番目に弱い強度のMPGパルスを付加したT1&T2&Diffusion prepared pulseを印加し、２番目に強い強度のMPGパルスを付加したT1&T2&Diffusion prepared pulseを印加すれば、ある速度範囲のみの流体を選択的に画像化することができる。つまり、MPGパルスの強度を２段階に変化させることによって流体イメージングにおける速度選択性を得ることができる。
【０１０３】
ところで、イメージングシーケンスにおいて、１次以上のグラジエントモーメントヌリング(GMN: gradient moment nulling)を行うことが望ましい。GMNは、傾斜磁場を印加した場合に磁場不均一性、流速、加速、その他の運動によって生じるスピンの位相ずれが修正されるように傾斜磁場パルスの波形を決定することである。傾斜磁場を印加することによるスピンの位相シフト量ベクトルΦGは式(1)で表される。
【０１０４】
ΦG=-γ{r0∫G(t)dt+ν0∫G(t)・tdt+(a0/2)∫G(t)・t2dt+ ...}  (1)
【０１０５】
式(1)においてγは磁気回転比、G(t)は傾斜磁場波形ベクトル、r0は時刻t=0におけるスピンの位置ベクトル、ν0は時刻t=0におけるスピンの速度ベクトル、a0は時刻t=0におけるスピンの加速度ベクトルである。∫G(t)dtの項は０次の磁気モーメント、∫G(t)・tdtの項は１次の磁気モーメント、∫G(t)・t2dtの項は２次の磁気モーメントと呼ばれる。
【０１０６】
０次のGMNは、０次の磁気モーメントをゼロにして磁場不均一性に起因する位相ずれを修正すること、１次のGMNは１次の磁気モーメントをゼロにして組織の動きや流体の流速に起因する信号のスピンの位相ずれを修正すること、２次のGMNは２次の磁気モーメントをゼロにして流体の加速に起因する信号の位相ずれを修正することに相当する。１次のGMN用に印加される傾斜磁場パルスは、フローリフェーズ(flow rephrase)パルス又はフロー補償(flow compensation)パルスと呼ばれる。
【０１０７】
図１４は、０次のGMNを行う際のフローディフェーズパルスの一例を示す図である。また、図１５は、１次のGMNを行う際のフローリフェーズパルスの一例を示す図である。
【０１０８】
図１４及び図１５において横軸は時間を、RFはRF励起パルスを、G(X)は傾斜磁場波形を、ECHOはエコー信号を、それぞれ示す。
【０１０９】
図１４及び図１５に示すようにRF励起パルスの印加後に傾斜磁場パルスG(t)が印加され、RF励起パルスの印加タイミング（パルス中心）からTE後にエコー信号が収集される。０次の磁気モーメントは傾斜磁場パルス波形の面積で表される。従って、図１４及び図１５に示す数字の面積比となるように傾斜磁場パルス波形を設定すれば、傾斜磁場パルスの０次の磁気モーメントはいずれもゼロとなる。一方、１次の磁気モーメントは、図１４に示す傾斜磁場波形ではゼロとなるのに対して図１５に示す傾斜磁場波形ではゼロとならない。従って、図１４に示す傾斜磁場パルスは１次のGMNを行うフローリフェーズパルスとなり、図１５に示す傾斜磁場パルスは０次のGMNのみを行うフローディフェーズパルスとなる。
【０１１０】
図１６は、フローリフェーズパルスを印加して収集される複素エコー信号の振幅及び位相の変化を示す図である。
【０１１１】
図１６において、(A)はt=TIにおいて収集される複素信号の振幅及び位相を示し、(B)はt=TI+TEにおいて収集された位相補正後の複素信号の振幅及び位相を示す。また、(A), (B)の各縦軸は回転座標系の虚軸を、各横軸は回転座標系の実軸を、実線で示すベクトルは強調対象となる背景信号を、点線で示すベクトルは抑制対象となる血液信号を、それぞれ示す。
【０１１２】
t=TIでは、図４(A)及び図１３(A)と同様に図１１(A)に示すように背景信号Sbackを表すベクトルは実軸上で正方向となる一方、血液信号Svesselを表すベクトルは実軸上で負方向となる。つまり、背景組織及び血液の縦磁化がRF励起により横磁化になった直後では、背景信号Sbackの位相と血液信号Svesselの位相との差は180°である。従って、イメージングシーケンスの実行中において背景信号Sbackの位相と血液信号Svesselの位相との差を180°のまま維持させることができれば背景組織と血液とのコントラスト差を最大にすることができる。
【０１１３】
ここで、イメージングシーケンスにおいて０次のGMNのみを行うものとすると、静止している背景組織の位相ずれのみが修正される。このため、背景組織及び血液の縦磁化が横磁化になった直後からは時間の経過とともに背景組織の動き、拍動による動き、血液の流れ等の要因によってスピンの位相シフトが生じる。
【０１１４】
そこで、イメージングシーケンスにおいてフローリフェーズパルスを印加して１次以上のGMNを行えば、組織の動きや血液の流れによる横磁化の位相シフトを低減させることができる。従って、背景信号Sbackの位相と血液信号Svesselの位相との差を180°に維持することができる。更に、背景信号Sbackの位相シフト分だけ信号の位相をシフトさせる背景位相補正を背景信号Sback及び血液信号Svesselに施せば、背景信号Sbackの位相を0°にする一方、血液信号Svesselの位相を180°にすることができる。
【０１１５】
すなわち、t=TI+TEにおいて図１６(B)に示すように、背景信号Sbackを表すベクトルの向きを実軸上の正方向に、１次以上のGMNにより位相シフトが修正されている血液信号Svesselを表すベクトルの向きを実軸上の負方向に、それぞれ戻すことができる。この場合、背景信号Sback及び血液信号Svesselの振幅は、動きや流れによっては低下せず、T2緩和又はT2*緩和により低下するのみとなる。従って、背景組織と血液との間におけるコントラストを最大にすることができる。
【０１１６】
特に、イメージング対象となる組織が血液やCSF等の流体を含む場合には、動きが大きいため、１次以上のGMNは効果的である。例えば、脳梗塞や心筋梗塞の原因として近年重要視されている血管内プラークのイメージングを行う場合には、筋等の血管壁と血液との分離が重要である。このため、リフェーズパルスを印加することにより、血管壁の情報をより高精度で得ることが期待できる。
【０１１７】
また、撮像部位が頚部や心臓である場合には、血液以外の血管壁や周囲の実質組織であっても心拍や呼吸性の拍動による動きが大きいため、リフェーズパルスの印加は良好なコントラストで画像を収集するために有効である。特に頚部の頚動脈や心臓の冠状動脈などに蓄積される血管内のプラークイメージングを行う場合にリフェーズパルスを印加すれば、拍動に依らず血液の信号抑制効果を安定的に得ることができる。
【０１１８】
尚、イメージングシーケンスがFSEシーケンス、FFEシーケンス、SSFPシーケンス又はEPIシーケンス等の複数のエコー信号を収集するシーケンスである場合には、少なくともコントラストに支配的である低周波領域におけるエコー信号を収集するための傾斜磁場波形をリフェーズ波形とすることが好適である。
【０１１９】
このように、着目する２つの組織からの信号がｋ空間の中心におけるエコー信号の収集タイミング(TI+TE)において正の値と負の値となるように、縦磁化プリパレーション部の種類、数、FA及びTI並びにイメージングシーケンスのGMN、TR及びTE等の撮像パラメータを設定する機能が、撮像条件設定部４０に備えられる。
【０１２０】
抑制すべき組織のTIが強調すべき組織のTIよりも短い場合には、TIは、抑制又は分離すべき組織の縦磁化がゼロとなる時間よりも短く、かつ強調すべき組織の縦磁化がゼロとなる時間よりも長くなるように設定することが望ましい。更に、TIは縦磁化が正の値となる組織と縦磁化が負の値となる組織とのコントラスト差がより大きくなるように設定されることが望ましい。従って、分離すべき２つの組織のT1の差が大きい場合には縦磁化の符号が互いに逆となるようなTIを容易に決定することができる。
【０１２１】
縦磁化プリパレーション部が１つのT1 prepared pulse (IRパルス)である場合には、抑制すべき組織の縦磁化がゼロとなる時間が、静磁場強度やIRパルスのFAによって変化する。例えば、静磁場強度が1.5テスラでTR=3000msである場合に抑制すべき組織が脂肪であればTI=100-150ms、血液であればTI=500-600ms、CSFであればTI=1800-2000ms程度となる。また、TRが短い程又はIRパルスのFAが180°より浅い程、IRパルスの印加タイミングt=0において負値となる縦磁化の絶対値が小さくなるため最適なTIは短くなる。
【０１２２】
一方、分離すべき２つの組織のT1の差が小さい場合には、t=TIにおいて縦磁化が同符号とならざるを得ない場合がある。そのような場合には、縦磁化の符号が同符号となるTIが撮像条件として設定される。この場合、２つの組織から得られる信号を用いてReal imagingを行って画像を再構成すると、２つの組織間におけるコントラストは、Magnitude Imagingを行って再構成した画像のコントラストと差異がなくなる。しかし、SNR (signal to noise ratio)が低い部位においてSNRがMagnitude Imagingの場合よりも改善されたり、T1値及びT2値と信号強度との間における線形性が維持されるといったReal Imagingの特長を画像に反映させることができる。
【０１２３】
縦磁化プリパレーション部の種類の決定方法の例としては、T1 prepared pulseを用いた場合に適切なTIを設定することが困難な場合にT1&T2 prepared pulse、T1&T2&Diffusion prepared pulse又は複数のプリパレーションパルスの組み合わせを用いるという決定法が挙げられる。例えば、TIを固定値にすることが望ましい場合にはT1 prepared pulseを用いるとTIが適切な値とならない恐れがある。そこで、T1&T2 prepared pulseのδtやT1&T2&Diffusion prepared pulseにおけるMPGパルスの強度等のパラメータを調整して用いることができる。
【０１２４】
また、静磁場強度、T1値、T2値及びプロトン密度等の組織パラメータ並びに流体の速度等の諸条件が既知であれば、シミュレーションによる解析によって組織別の信号強度を予測することができる。このため、撮像条件設定部４０が、組織ごとの信号強度を予測し、予測した組織ごとの信号強度に基づいてFA、TR及びTI等のパルスシーケンスの設定パラメータを自動的に設定するようにすることもできる。
次に、コンピュータ３２の他の機能について説明する。
【０１２５】
シーケンスコントローラ制御部４１は、入力装置３３からの情報に基づいて、シーケンスコントローラ３１にパルスシーケンスを含む撮像条件を与えることにより駆動制御させる機能を有する。また、シーケンスコントローラ制御部４１は、シーケンスコントローラ３１から生データを受けてｋ空間データベース４２に形成されたｋ空間に配置する機能を有する。
【０１２６】
位相補正部４３は、ｋ空間データベース４２に保存されたｋ空間データに必要に応じて位相補正処理を行う機能を有する。位相補正処理には、背景位相補正処理とCOS filter処理とがある。背景位相補正処理は、磁場不均一性によるスピンの位相シフト分を補正する処理である。COS filter処理は、血液やCSF等の流体からの信号の位相を等価的に最大で180°に強調するフィルタ処理である。
【０１２７】
イメージングシーケンスがGRE系のシーケンスである場合には、静磁場によるスピンの位相シフトや分散がある。スピンの分散を補正することはできないが、位相シフトについては補正することが良好なコントラストを得るために望ましい。このため、背景位相補正を行うことが好適である。背景位相補正は、ｋ空間データの位相から背景信号の位相を差し引くことによって行うことができる。
【０１２８】
イメージング対象が実質臓器と血管である場合には、homodyne filter等の空間フィルタをｋ空間データに掛けることにより、背景信号と血液信号とを周波数的に分離することができる。そして、低周波成分である背景信号の位相をｋ空間データの位相から差し引くことにより、高周波成分である血液信号からも静磁場による位相シフト分を補正することができる。
【０１２９】
一方、２つの組織からの信号を周波数的に分離することが困難である場合には、予め任意の手段で取得した背景信号の位相分布をｋ空間データから差し引くことにより背景位相補正処理を行うことができる。背景信号の位相分布マップは、例えば、静磁場のシミング用のプレスキャンにおいてシミング用シーケンスを実行して磁場の空間分布を測定することによって取得することができる。すなわち、測定した磁場の空間分布に基づいて公知の方法でTEに応じた背景位相分布を求めることができる。
【０１３０】
また、イメージングシーケンスがSE系のシーケンスである場合には、傾斜磁場に由来するMaxwell term分の位相シフト分布は比較的小さい。このため、撮影視野(FOV: field of view)が十分に小さい場合には背景位相補正を省略することができる。一方、背景位相補正を行う場合には、１次〜２次の位相シフト分布を補正すれば精度上十分と考えられる。位相補正処理に必要な位相シフト分布は、エンコードを行わないシーケンスを用いたプレスキャンによって十分な精度で予め測定することができる
【０１３１】
そしてこのような背景位相補正処理によって図１３(B)及び図１６(B)に示すように、背景信号の位相を０°(in-phase)にすることができる。
【０１３２】
一方、リフェーズパルスを印加せずに0次のGMNのみを行う場合には、背景位相補正処理を行っても流体信号の位相が図１３(B)に示すように実軸上とならない。そこで、位相が０°(in-phase)以外の信号成分の位相を選択的に180°に近づける強調処理、すなわちCOS filter処理を行うことがコントラスト改善に繋がる。例えば、位相が＋90°から+270°の範囲にある血液信号成分を表すベクトルの向きを実軸の負方向に向けるCOS filter処理によって血液信号の実部成分を最大値である血液信号の振幅と同じ値にすることができる。
【０１３３】
画像再構成部４４は、位相補正部４３から位相補正後のｋ空間データを取り込んでフーリエ変換(FT: Fourier transform)を含む画像再構成処理を施すことにより画像データを再構成する機能と、再構成して得られた画像データを画像データベース４５に書き込む機能を有する。特に、画像再構成部４４は、複素データであるｋ空間データの実部を用いて負値も考慮するREAL画像再構成を行うように構成されている。
【０１３４】
画像処理部４６は、画像データベース４５から画像データを取り込んで必要な画像処理を行って表示用の画像データを生成する機能と、生成した表示用の画像データを表示装置３４に表示させる機能を有する。
【０１３５】
例えば、画像処理部４６では２つの組織が描出された画像データを組織ごとの画像データに分離する組織分離処理を行うことができる。組織別の画像を表示させることが撮像目的である場合には、信号値に閾値を設定し、閾値を用いて二つの組織が描出されている画像データを各組織が描出されている２つの画像データに分離することができる。
【０１３６】
２つの組織からの信号が正と負に分かれるように撮像条件を設定した場合には、ゼロや中間値を閾値にして画像データを分離することができる。閾値Sthを２つの組織からの信号S1, S2の中間値とする場合には、Sth=(S1+S2)/2となる。２つの組織からの信号S1, S2は、例えば任意に設定したROI内において測定すればよい。或いは、同一の撮像部位を同一の撮像条件で撮像する場合には、予め決定した閾値を経験的に用いることもできる。尚、閾値の経験値を用いる場合には、撮像間における信号強度のばらつきを補正するゲイン補正を信号に対して行うことが望ましい。
【０１３７】
分離後の画像データの輝度値は、T1Wのコントラストの大小関係と一致する。更に必要に応じて信号値が負値となる側の画像データに対して輝度値反転処理を施すこともできる。これにより、２種類の組織を別々に描出した２フレーム分の画像データが生成される。
【０１３８】
一方、特定の組織を抑制した１フレームの画像データを生成することもできる。この場合でも閾値を用いた分離処理や輝度値反転処理を行うことが望ましい場合がある。例えば脂肪と脳実質等の実質臓器を含む画像データにおいて脂肪のT1は実質臓器のT1よりも短いため脂肪が高信号部位として描出される。このため、脂肪を抑制する場合には、輝度値を反転して表示させることが有効である。或いは、T1Wのコントラストに対応させた画像データにおいて脂肪を抑制する場合には、閾値を用いて脂肪を含む高信号値側の信号を抽出し、高信号値側の信号をゼロにする処理を行って白黒反転させずに表示させればよい。
【０１３９】
また、CSF又は血液と実質臓器とを含む画像データにおいてCSF又は血液を抑制する場合には、CSF及び血液のT1が実質臓器のT1より長いため、輝度値を反転させずにそのまま表示させればよい。或いは、閾値を用いて信号値の小さい側の信号をゼロにする処理を行って画像データを表示させることもできる。
次に磁気共鳴イメージング装置２０の動作及び作用について説明する。
【０１４０】
図１７は、図１に示す磁気共鳴イメージング装置２０により被検体Ｐのイメージングを行う際の流れを表すフローチャートを示す図である。
【０１４１】
まずステップＳ１において、撮像条件設定部４０は、例えば図３、図１０又は図１２に示すような縦磁化プリパレーション部に続いてイメージングシーケンスを有するパルスシーケンスを撮像条件として設定する。すなわち、イメージングデータの収集タイミングにおいて強調対象となる組織からの信号が正の値となる一方、抑制対象となる組織からの信号が負の値となるようにTI等の撮像条件が設定される。
【０１４２】
また、ディフェーズパルス又はリフェーズパルスの印加が設定される。例えば、ある速度以上の血液又はCSF等の流体からの信号を選択的に強調又は抑制する場合には、ディフェーズパルスとしてMPGパルスの印加が設定される。一方、流体と背景組織とのコントラスト差を向上させる場合には、リフェーズパルスの印加が設定される。
【０１４３】
次にステップＳ２において、シーケンスコントローラ３１や静磁場用磁石２１等のスキャンを実行するための磁気共鳴イメージング装置２０の構成要素は、設定された撮影条件に従ってデータ収集を行う。
【０１４４】
そのために予め寝台３７に被検体Ｐがセットされ、静磁場電源２６により励磁された静磁場用磁石２１(超伝導磁石)の撮像領域に静磁場が形成される。また、シムコイル電源２８からシムコイル２２に電流が供給されて撮像領域に形成された静磁場が均一化される。
【０１４５】
そして、入力装置３３からシーケンスコントローラ制御部４１にスキャン開始指示が与えられると、シーケンスコントローラ制御部４１は撮像条件設定部４０から取得したパルスシーケンスを含む撮像条件をシーケンスコントローラ３１に与える。シーケンスコントローラ３１は、シーケンスコントローラ制御部４１から受けたパルスシーケンスに従って傾斜磁場電源２７、送信器２９及び受信器３０を駆動させることにより被検体Ｐがセットされた撮像領域に傾斜磁場を形成させるとともに、RFコイル２４からRF信号を発生させる。
【０１４６】
このため、被検体Ｐの内部における核磁気共鳴により生じたNMR信号が、RFコイル２４により受信されて受信器３０に与えられる。受信器３０は、RFコイル２４からNMR信号を受けて、所要の信号処理を実行した後、A/D変換することにより、デジタルデータのNMR信号である生データを生成する。受信器３０は、生成した生データをシーケンスコントローラ３１に与える。シーケンスコントローラ３１は、生データをシーケンスコントローラ制御部４１に与え、シーケンスコントローラ制御部４１はｋ空間データベース４２に形成されたｋ空間に生データをｋ空間データとして配置する。
【０１４７】
ｋ空間データは、強調対象となる組織からの信号が正の値となる一方、抑制対象となる組織からの信号が負の値となるタイミングで収集されている。しかし、磁場の不均一性により強調対象となる組織及び抑制対象となる組織からの信号の位相シフト量が無視できない場合がある。また、１次以上のGMNが実行されない場合には、組織の動きによる位相シフトが生じる。
【０１４８】
そこで、ステップＳ３において、必要に応じて位相補正部４３は、ｋ空間データベース４２からｋ空間データを読み込んで位相補正処理を行う。すなわち、ｋ空間データに対して静止している組織の位相シフト量をキャンセルする背景位相補正が実行される。更に、組織の動きによる位相シフト量が無視できない場合には、動きのある抑制対象となる組織からの信号の位相を選択的に180°とするCOS filer処理が実行される。
【０１４９】
尚、リフェーズパルスが印加される場合には、組織の動きや流れによる信号の位相シフトが低減されるため、COS filter処理を省略できる場合が多い。従って、信号処理の簡易化及びSNRを向上させる観点からリフェーズパルスを印加することが効果的である。
【０１５０】
そして、このような位相補正処理によって強調対象となるエコー信号を表すベクトルの向きは実軸上の正方向となる一方、抑制対象となるエコー信号を表すベクトルの向きは実軸上の負方向となる。つまり、強調対象となる信号の位相と抑制対象となる信号の位相との差が概ね180°となる。
【０１５１】
次にステップＳ４において、画像再構成部４４は、位相補正後のｋ空間データの実部を用いるREAL PART画像再構成処理を実行することにより、画像データを生成する。このため、信号値が正の値をとる組織と信号値が負の値をとる組織とのコントラスト差が強調された画像データが生成される。生成された画像データは、画像データベース４５に保存される。
【０１５２】
次にステップＳ５において、画像処理部４６は、画像データベース４５から画像データを読み込んで必要な画像処理を行って表示用の画像データを生成する。例えば、強調対象となる組織が描出された画像データと抑制対象となる組織が描出された画像データを別々に生成すべき場合には、信号値に対する閾値処理によって画像データが２つの組織画像データに分離される。また、撮像目的に応じて画像データの輝度値反転処理や抑制対象となる信号をゼロとする処理が実行される。
【０１５３】
この結果、組織抑制画像データ又は組織分離画像データが表示用の画像データとして生成される。
【０１５４】
次にステップＳ６において、画像処理部４６は、表示用の画像データを表示装置３４に出力する。これにより、表示装置３４は、表示用の組織抑制画像又は組織分離画像を表示させる。
【０１５５】
つまり以上のような磁気共鳴イメージング装置２０は、イメージングデータの収集タイミングにおいて強調対象となる組織からの信号が正の値となる一方、抑制対象となる組織からの信号が負の値となるようにTI等の撮像条件を設定し、かつREAL-PART画像再構成を行うことによりコントラストが良好な２つの組織を含む画像を収集できるようにしたものである。さらに、磁気共鳴イメージング装置２０は、ディフェーズパルス又はリフェーズパルスを印加することによって流体のコントラストを所望のコントラストに制御できるようにしたものである。
【０１５６】
このため、磁気共鳴イメージング装置２０によれば、良好なコントラストで特定の組織を抑制した組織抑制画像のみならず組織ごとに分離した２つの組織分離画像を得ることができる。また、コントラストを改善するための適切な撮像条件の設定が容易となる。
【０１５７】
すなわち、IR法において信号の絶対値を用いるMagnitude Imagingを行うと最小値がゼロとなる。このため、抑制対象となる組織の縦磁化Mzがゼロとなるタイミング(null point)で信号が収集されるようにTI等のパラメータを設定することが重要となる。従って、TIの設定が難しく、縦磁化Mzのnull point以外のタイミングにTIが設定されると信号の絶対値強度が正の値となる。このため、組織の抑制効果が不十分となる場合がある。特に、心電(ECG: electro cardiogram)同期イメージングや呼吸同期イメージングの場合には、TRがばらつくため、適切なTIが安定しない。このため、TIを一定にすると対象組織の抑制効果が不十分となる場合がある。
【０１５８】
また、位相強調技術であるSWI位相マスクを用いると、抑制対象となる組織からの信号がゼロとなる。このため、抑制対象となる組織を観察することができず、観察するためには別途スキャンが必要になる。つまり、SWI位相マスクを用いてもT1値が異なる複数の組織を識別表示させることができず、特定の組織を選択的に抽出できるに過ぎない。
【０１５９】
これに対して、磁気共鳴イメージング装置２０では、Real Part Imagingを行うため抑制対象となる組織の縦磁化が負値となるようにTIを設定すればよい。このため、撮像条件の設定が容易であるのみならず、TRや最適なTIが変動してもロバストに組織抑制画像や組織分離画像を生成することができる。
【０１６０】
また、磁気共鳴イメージング装置２０では、抑制対象となる組織からの信号がゼロではないため、１回のイメージングでT1, T2及び動きの少なくとも１つが異なる２つの組織が描出された画像を得ることができる。このため、異なる組織が選択的に描出された２つの組織分離画像を得ることができる。更に、組織抑制画像が生成対象である場合には、抑制対象となる不要な組織の信号抑制効果(CNR: contrast to noise ratio)が向上する。
【０１６１】
更に、磁気共鳴イメージング装置２０では、フローリフェーズパルスを印加することによって動きや流れがある組織からの信号強度を最大化するとともに動きによるアーチファクトを抑制することができる。
【０１６２】
また、磁気共鳴イメージング装置２０では、CSFからの信号を負値として収集することができるため、１回の撮像で脳表の表示手法であるSAS (Surface Anatomical Scanning)とFLAIRを実施することができる。
【符号の説明】
【０１６３】
２０  磁気共鳴イメージング装置
２１  静磁場用磁石
２２  シムコイル
２３  傾斜磁場コイル
２４  RFコイル
２５  制御系
２６  静磁場電源
２７  傾斜磁場電源
３２  コンピュータ
３７  寝台
Ｐ  被検体
【図１】
0005624376.tif 000002
【図２】
0005624376.tif 000003
【図３】
0005624376.tif 000004
【図４】
0005624376.tif 000005
【図５】
0005624376.tif 000006
【図６】
0005624376.tif 000007
【図７】
0005624376.tif 000008
【図８】
0005624376.tif 000009
【図９】
0005624376.tif 000010
【図１０】
0005624376.tif 000011
【図１１】
0005624376.tif 000012
【図１２】
0005624376.tif 000013
【図１３】
0005624376.tif 000014
【図１４】
0005624376.tif 000015
【図１５】
0005624376.tif 000016
【図１６】
0005624376.tif 000017
【図１７】
0005624376.tif 000018